Podtech/llm-jp-corpus-v4-ja_patent huggingface dataset:
(57)【要約】【課題】従来の技術での天日による衣類の乾燥は、竿、ハンガー、又は手すり等に衣類をかけたり吊り下げて行っていた。しかし、薄物が多い下着類、中でも乳幼児の衣類は小物の数が多く、竿、ハンガー又は手すり等にかけたり吊り下げたりするのに時間が掛り、干す作業が面倒であった。  又、下着を衆目に晒す事になり、特に女性にとっては精神衛生上の負担がおおきかった。  本発明は上記のような欠点を解消することを課題とする。【解決手段】衣類の投入又は取り出しをする開閉自在の蓋つきの開口部２を有する立体形状の閉塞型ネットケース１であって、ネットケース１の側壁が凹凸形状となっており、回転軸８を中心に回転可能な構成となっている衣類の天日乾燥機。【選択図】  図１
2012034981.tif 000002
【特許請求の範囲】
【請求項１】
衣類の投入又は取り出しをする開閉自在の開口部を有する、立体形状の閉塞型ネットケースであって、ネットケースの側壁が凹凸形状となっており、回転軸を中心に回転可能な構成となっていることを特徴とする衣類の天日乾燥機。
【請求項２】
前記回転軸が偏芯軸であることを特徴とする請求項１記載の衣類の天日乾燥機。
【請求項３】
前記ネットケースが金属製又は合成樹脂製であることを特徴とする請求項１又は２記載の衣類の天日乾燥機。
【発明の詳細な説明】
【技術分野】
【０００１】
本発明は、洗濯して濡れている衣類を天日により乾燥させる乾燥機に関する。
【背景技術】
【０００２】
従来の天日による衣類乾燥は、竿、ハンガー又は手すり等に衣類をかけたり吊り下げて行っていた。
【発明の概要】
【発明が解決しようとする課題】
【０００３】
しかし、薄物が多い下着類、中でも乳幼児の衣類は小物の数が多く、竿、ハンガー又は手すり等にかけたり吊り下げたりするのに時間が掛かり、干す作業が面倒であった。  又下着を衆目に晒す事になり、特に女性にとっては精神衛生上の負担が大きかった。  
【０００４】
本発明は、従来の手段が有していた上記のような欠点、すなわち、衣類を吊下する時間が長い、面倒な作業である、下着を衆目に晒す事による精神衛生上の負担が多い等の欠点を解消することを課題とする。
【課題を解決するための手段】
【０００５】
この発明が提供する衣類の天日乾燥機は次の（１）、（２）及び（３）に記載のものである。
【０００６】
（１）衣類の投入又は取り出しをする開閉自在の蓋つきの開口部を有する、立体形状の閉塞型ネットケースであって、ネットケースの側壁が凹凸形状となっており、回転軸を中心に回転可能な構成となっている衣類の天日乾燥機。  （以下、第1の天日乾燥機という。）
【０００７】
（２）  （１）に記載の回転軸が偏芯軸である衣類の天日乾燥機。  （以下、第2の天日乾燥機という。）  
【０００８】
（３）  （１）及び（２）のネットケースを構成する材質が、金属又は合成樹脂である衣類の天日乾燥機。  （以下、第3の天日乾燥機という。）
【発明の効果】
【０００９】
従来の衣類の天日乾燥は、洗濯した衣類を竿、ハンガー又は手すり等に吊下することによって行っていた。しかし作業に時間が掛かり、作業が繊細で面倒であり、下着を衆目に晒す事による精神衛生上の負担が大きかった。
本発明はこれ等の欠点を解消することが出来る。
【図面の簡単な説明】
【００１０】
【図１】実施例1の斜視図
【図２】図1のＹ部分の拡大斜視図
【図３】実施例２の斜視図
【図４】図３のZ部分の拡大斜視図
【発明を実施するための形態】
【００１１】
実施の形態を実施例１〜３によって図面を参照しながら説明する。
（実施例１）
実施例１は第1の天日乾燥機の実施例である。
図１は実施例１の斜視図である。
図２はネットケース１の部分拡大図である。
以下、図１〜２を参照しながら実施例１の構成を説明する。
【００１２】
１は側壁が凹凸形状となっている立体形状の閉塞型ネットケースであって、側壁は線材で形成されている。  ネットケース１の大きさは縦約６０ｃｍ、巾約３５ｃｍ、奥行き約６０ｃｍの閉塞型立方体である。  ネットケース１は衣類の投入又は取り出しをする開口部２を有しており、開口部２は縦約３５ｃｍ、横約３０ｃｍで横の一辺部に止め具３を、他辺部に蝶番４を有しており開閉自在としている・
【００１３】
図1のY部分はネットケー−ス１を構成する網状の壁面を表示している。
図２は上記壁面の線材の拡大図である。
横線材１０と縦線材１１は格子状に組まれ、交差部は溶接部１２となっている。  横線材10は凸形に折り曲げられ内側に突出している。  上記網状のメッシュの大きさは一辺が約４ｃｍである。
【００１４】
８は回転軸であり上記ネットケース１の中心部を貫通する構成となっている。
回転軸８の両端部には軸受６と軸受７が設けられており、2つの軸受は支持体９に保持されている。
【００１５】
回転軸８にはハンドル５が取り付けられており、ハンドル５を回すことで上記ネットケース１が回転しネットケース１内に投入された衣類を攪拌し衣類に複雑な挙動を起こし、衣類に天日を吸収させ乾燥させる。
【００１６】
（実施例２）
実施例２は第２の天日乾燥機の実施例である。
図３は実施例２の斜視図である。
以下、図３を参照しながら実施例２の構成を説明する。
【００１７】
ネットケース１４は直方立方体であり、衣類の投入取出しをする開閉自在の開口部１５を備えている。・
回転軸はネットケース１４の相対するコーナーを貫通する偏芯軸１３で構成されている。
その他の構成は図1の天日乾燥機と実質的に同じである。
【００１８】
（実施例３）
実施例３は第３の天日乾燥機の実施例である。
この実施例３は実施例１又は２におけるネットケースが合成樹脂製である。この実施例のネットケースの側壁は、図4に示すように、ネットケースの内面に舌片状の凸部１７が出るように配置されている。  その他の構成は実施例１及び２と実質的に同じである。
尚、実施例１、２及び３に於いて、ネットケースの回転のためには電動モーターや風車を使用してもよい。  又、回転軸を保持する支持体を、ベランダの手すりに取り付ける構成にしてもよい。  又、ネットケースの形状を円形球状、フットボール球状、円柱状、円錐状、立方錘状等にすることもできる。
【符号の説明】
【００１９】
１    ネットケース
２    開口部
３    止め具
４    蝶番
５    ハンドル
６    軸受け
７    軸受け
８    回転軸
９    支持台
１０    横線材
１１    縦線材
１２    溶接部
１３    偏芯軸
１４    ネットケース
１５    開口部
１６    合成樹脂製ネット
１７    舌片状の凸部
Y    ネットケースの部分  （線材製）
Z    ネットケースの部分  （合成樹脂製）
【図１】
2012034981.tif 000003
【図２】
2012034981.tif 000004
【図３】
2012034981.tif 000005
【図４】
2012034981.tif 000006
(57)【要約】      （修正有）【課題】磁石の吸引力と反発力を外部電源を使って、多くの動力源としているものを、外部電源又は他のエネルギーを使わず、動力源を発生させようとするものである。【解決手段】二つの磁石ともに直線移動ができる機構とし、磁石２を移動させる平行方行移動機構６と、磁石１と磁石３を連動させて移動させる直角方向移動機構５からなる。これらは互に直角の関係にある。磁石１の磁極面の角と、磁石２の磁極面の角とを揃えた形で、平行にある距離をおいた設定にする。この設定で磁石１が磁石２へ近づく場合又は、遠のく場合ともに磁界の影響を殆んど受けない。これに対し、磁石２は磁界の影響を受け、磁石１、磁石２の磁極面が同極のときは反発力、異極のときは吸引力が発生する。この磁石１と磁石２の力の差は、外部より電気エネルギー等を供給することなく生じるものである。この力の差を動力エネルギーとして利用するものである。【選択図】図４
2012034560.tif 000002
【特許請求の範囲】
【請求項１】
（イ）磁石の磁極面の角と角を揃えるか、少し外れる程度に対向させる。片側の磁極面に磁極面の面積の約２倍の鉄片を取付ける。
（ロ）対向している磁極面は、同極又は異極どちらとも利用する。
（ハ）磁極面の角と角を揃え、平行に置かれた磁石がそれぞれ直角方向に直線移動する。
以上の主要部より構成された半自走動力エネルギー発生装置。
【発明の詳細な説明】
【技術分野】
【０００１】この発明は、磁石間相互に働く吸引力又は反発力に対し、第三の力関係を創造した半自走動力エネルギー発生装置に関するものである。
【背景技術】
【０００２】従来は、磁石相互に働く力は、単に吸引力と反発力で、例えば磁石間相互で吸引力により吸引されて移動した磁石を元に戻すには、外部よりその吸引力に相当する反対のエネルギーが必要であった。
【先行技術文献】
【０００３】
【発明の概要】
【発明が解決しようする課題】
【０００４】磁石の吸引力と反発力を外部電源を使って、多くの動力源としているものを、外部電源又は他のエネルギーを使わず、動力源を発生させようとするものである。また、近年地球環境問題と共に省エネが叫ばれている中、これらに貢献できることも考慮したものである。
【発明を解決するための手段】
【０００５】磁石１、磁石２があり、磁石１が磁石２へ近づく場合、磁界の影響を殆んど受けない。これに対し、磁石２は磁界の影響を受け、反発力が発生する。磁石１、磁石２の向い合う磁極面が異極の場合は吸引力となる。この力の差を利用するものである。
二つの磁石ともに直線移動ができる機構を有し、磁石２を移動させる平行方向移動機構６と磁石１と磁石３を連動させて移動させる直角方向移動機構５からなる。これらは互に直角の関係にある。磁石１と磁石２、また磁石２と磁石３は磁極面が平行方向にあるがずらしてある。
磁石１と磁石２の向い合う磁極面は同極とし、磁石２と磁石３は異極となるよう設定する。また、磁石２には、直角方向の力を出来る限り弱める目的で、磁極面の面積の約２倍の鉄片４を磁極面に取付けている。
【発明の効果】
【０００６】二つの磁石をある条件まで設定することにより、単に永久磁石のみの使用で、外部の石油とか電気エネルギーを使用することなく動力エネルギーを発生させることが出来る。磁石の数、個々の磁石の強さに吸引力又は反発力は比例するので、これにより発生エネルギーを増大させることが出来る。この増大させたエネルギーで本装置内の磁界の影響を殆んど受けない磁石の移動を行うことが可能で、こうすることにより本装置は、完全に自走できる形の動力エネルギー発生装置となる。
これにより、従来の外部より石油とか電力等を供給する動力源の代替が可能になるものである。
【図面の簡単な説明】
【０００７】
【図１】本発明の斜視図である。
【図２】本発明の正面図である。
【図３】本発明の右側面図である。
【図４】本発明の平面図である。
【図５】本発明の拡大部分斜視図である。
【発明を実施するための形態】
【０００８】発生エネルギーを増すために磁石は３組としている。
磁石１の磁極面の角と、磁石２の磁極面の角とを揃えた形で、平行にある距離をおき位置する。向き合う二つの磁極は同極とする。二つの磁石の移動は直線で互に直角の関係にある。この状態で、磁石２をストッパー７で止めておき、磁石１を遠くから磁石２に近づけると磁界の影響を殆んど受けない形で近づけることができる。このまま、次にストッパー８を外すと磁石２は強い反発力を受けて遠くへ移動する。移動した終点近くは、磁石１と連動している磁石３が異極であるので磁石２は吸引され、磁石２の磁極面の角と磁石３の磁極面の角とが揃った位置で磁石２は止める。この位置で、磁石３を遠ざけると、前述の始動時と同様磁界の影響を殆んど受けずに移動することができる。
磁石１及び磁石３が遠く離れたので、磁石２を元の位置に戻す。これで１サイクルである。この磁石２の力を動力エネルギーとして利用するものである。
【符号の説明】
【０００９】  １  直角移動用両面２極磁石
２  平行移動用両面２極磁石
３  直角移動用両面２極磁石
４  制御用鉄片
５  直角方向直線移動機構
６  平行方向直線移動機構
７  ストッパー
８  直角移動継手
９  平行移動継手
【図１】
2012034560.tif 000003
【図２】
2012034560.tif 000004
【図３】
2012034560.tif 000005
【図４】
2012034560.tif 000006
【図５】
2012034560.tif 000007
(57)【要約】      （修正有）【課題】従来の電気自動車は、蓄電池の容量によって走行距離が制限され、走行中に電力が低下すると、走行中止を余儀なくされ、停車して電力供給施設から蓄電池に充電しなければならなかった。そこで、電気自動車が充電池の容量に制限されることなく、継続的に走行することのできる電力供給機構を提供する。【解決手段】電気自動車に、二つの目的をもった蓄電池を搭載する。蓄電池１は家庭などの外部の電源から供給された電力で充電し、この蓄電池１の電力によって前輪駆動用のモーターで走行を開始する。もう一つの蓄電池２は走行を開始した後、後輪に装備された発電機によって発生した電力を整流器で直流に変換し、充電をつづける。蓄電池１に蓄えられた電力が走行によって減じ、電力が低下した場合には、走行中に電力が蓄えられた蓄電池２に切り替え、蓄電池２の電力を用いて走行する。【選択図】図１
2012034558.tif 000002
【特許請求の範囲】
【請求項１】
走行用の電力を蓄える蓄電池▲１▼と、その蓄電池▲１▼が供給する電力で回転するモーターによって前輪駆動で走行する電気自動車の後輪のシャフトの回転で発電し、それを蓄える蓄電池▲２▼という一組の蓄電池を搭載した電気自動車。
【請求項２】
この電気自動車は、まず蓄電池▲１▼に家庭など外部の電源から走行用の電力を充電し、その電力によって前輪駆動用のモーターを動かし走行を開始する。つづいて、この電気自動車は走行中に後輪のシャフトの回転を電力に変える発電機によって起きた電気を直流に変換して蓄電池▲２▼に蓄える。走行中に蓄電池▲１▼の電力が低下すると、走行中に蓄電池▲２▼に蓄えられた電力を前輪駆動用モーターに供給し、蓄電池▲１▼には後輪の回転によって生じた電力を充電する。このように、この電気自動車は蓄電池▲１▼と蓄電池▲２▼を交互に走行用と蓄電用に用いながら、電力による走行を継続的につづけることが可能である。
【発明の詳細な説明】
【技術分野】
【０００１】  本発明は、電気自動車の電力の供給機構に関するものである。電気自動車に蓄電池▲１▼と蓄電池▲２▼を装備する。この電気自動車は走行を開始するため、まず蓄電池▲１▼に家庭など外部から走行用の電源を充電し、それによって前輪の駆動用モーターを動かし走行を開始する。つづいてこの自動車は、走行中に後輪のシャフトに装備した発電機によりシャフトの回転運動によって発電し、その電力を蓄電器▲２▼に蓄える。走行中、電気自動車に電力を供給している蓄電池▲１▼の電力が低下すると、蓄電器▲２▼に蓄えられた電気を蓄電池▲１▼に代わって走行用のモーターに供給し走行を継続する。このように、この電気自動車は、蓄電池▲１▼と蓄電池▲２▼を交互に走行用と蓄電用とに用いながら、電気による駆動を継続することが可能である。
【発明の開示】
【発明が解決しようとする課題】
【０００２】  従来の電気自動車は、家庭やガソリンスタンドに代わる電力供給施設から電力を得て、自動車に備えられた蓄電池に充電し、その電力を駆動モーターに供給して走行するものである。【０００３】  しかし、この方法によれば、電気自動車は備えられた蓄電池に蓄えられた電力の範囲内でしか走行できず、その電力が消費されれば停車を余儀なくされる、そのような事態を避けるためには、電力が完全に消費される前に充電するか、電気が十分に蓄えられた蓄電池と交換しなければならない。【０００４】  本発明は、電気自動車が備え付けられた蓄電池の電気を消費することによって走行を中止することを避け、また蓄電池の容量により走行距離が制限されることのないように、従来の蓄電池による電力供給機構の欠点を克服するためになされたものである。
【問題を解決するための手段】
【０００５】  まず、電気自動車に蓄電池▲１▼と蓄電池▲２▼を装備する。この電気自動車はまず蓄電池▲１▼に家庭から走行用の電源を充電し、まずそれによって前輪の駆動用モーターを動かし走行を開始する。この電気自動車は走行中に後輪のシャフトに装備した発電機によって起きた電気を蓄電器▲２▼に蓄える。走行中、蓄電池▲１▼の電力が低下すると、蓄電池▲１▼に代わって蓄電器▲２▼に蓄えられた電気を前輪駆動用モーターに供給する。このように、この電気自動車は蓄電池▲１▼と蓄電池▲２▼を交互に走行用と蓄電用とに用いながら、電気により継続的な走行が可能である。
【発明の効果】
【０００６】  電気自動車に駆動用電力を蓄える蓄電池を二つ装備し、一方の蓄電池▲１▼から前輪駆動用モーターに電力を供給し走行している間に、後輪シャフトの回転エネルギーを発電機によって電力に代え、もう一つの蓄電池▲２▼に蓄える。走行開始から電力を供給していた蓄電池▲１▼の電力が失われる前に、電力供給源を走行によって得られた電力を蓄えた蓄電池▲２▼に代えることで継続的に電気によって走行を続けることが可能になる。
【０００７】  このように二つの蓄電池を用いる機構を搭載することによって、この電気自動車は装備した蓄電池の容量によって走行距離に限界が生じたり、蓄電池に充電した電力が消費されることによる走行中断を避けることが可能となる。
【実施例】
【０００８】  本発明は、従来の電気自動車の限界である蓄電池の容量によってその走行距離が制限され、蓄電池の電力が消耗されると、それ以上走行できなくなるという問題を走行用と充電用の一組の蓄電池からなる電力供給機構を搭載することで解決しようとするものである。【０００９】  本発明は、既存の電気自動車のように走行用電力供給用だけの蓄電池だけでなく、後輪のシャフトに装備した発電機によって生まれる電力を充電するための蓄電池を搭載することにより、走行用電力を充電する蓄電池だけを搭載した電気自動車の限界を克服することができる。【００１０】  走行用と充電用の電力を蓄えるための一組の蓄電池を搭載し、走行中の後輪シャフトの回転運動から電力を生み出す発電機によって生まれた電力を蓄える蓄電池により、走行によって電力を失った蓄電池に代り、走行中に充電した今一つの蓄電池から電力を供給するという本発明の電力供給機構は、従来の電気自動車の限界を克服し、電気自動車の新しい可能性を開くものである。
【産業上の可能性】
【００１１】  本発明に係わる電気自動車の電力供給機構は、工業的に量産する事が可能であるため、産業上の利用可能性を有するだけでなく、自動車産業における電気自動車開発を促進し、わが国における電気自動車の普及を促すものである。
【図面の簡単な説明】
【００１２】
【図１】蓄電池▲１▼と蓄電池▲２▼を装備した電気自動車の、発進時の電力供給の様子を示した図。発進時には蓄電池▲１▼から前輪駆動用モーターに電力を供給し、発進後、走行を開始すると後輪のシャフトに装備された発電機で生まれた電力を整流器を通して蓄電池▲２▼に蓄える。
【図２】走行中に蓄電池▲１▼の電力が低下した際、蓄電池▲２▼に蓄えられた電力を前輪駆動用モーターに供給し始めたことを表す図。発進時から走行のために電力を供給してきた蓄電池▲１▼には、蓄電池▲２▼に代わって後輪の発電機からの電力を充電する。
【図１】
2012034558.tif 000003
【図２】
2012034558.tif 000004
(57)【要約】      （修正有）【課題】ししおどしの竹が石に当る単調な音だけで、鈴音を楽しめるししおどしがなかった。音を楽しめるようにする池や庭の環境ががなくても、草花やメダカを飼ってさらに音、環境を楽しめるようにする。【解決手段】ししおどしの竹筒の中に鈴を仕込んで、石に当たるときにきれいな音を楽しめる。プランター、木箱等を利用して草花を植え、睡蓮丸鉢に水をはることでメダカが飼える。プランターに土をいれて盆栽にすることで楽しみが広がる。【選択図】図２
2012034677.tif 000002
【特許請求の範囲】
【請求項１】
竹筒の中に鈴を仕込んだ、ししおどし
【請求項２】
竹筒の中に鈴を仕込んだ、ししおどしを使用した，盆栽とメダカ飼育のセット品
【発明の詳細な説明】
【技術分野】
【０００１】従来の、ししおどしにないきれいな音を出すために発明したもので、竹筒の中に鈴をいれたものである。
【背景技術】
【０００２】従来、音（鈴音）を楽しめる、ししおどしがなかった。
【先行技術文献】
【０００３】実用新案公開平０６−０５２４６７
登録実用新案第３１０４９９８
【発明の概要】
【発明が解決しようとする課題】
【０００４】従来からある、ししおどしは、ただ単に竹筒が石に当る音を楽しんでいた。
【課題を解決するための手段】
【０００５】竹筒▲２▼の中に鈴▲１▼を入れた。
【発明の効果】
【０００６】この発明によって、ししおどしから、きれいな鈴音が聞こえてきて、又睡蓮丸鉢とプランター（木箱でもよい）を組み合わせる事により、メダカを飼ったり盆栽を楽しんだり出来る。
【図面の簡単な説明】
【０００７】
【図１】本発明の試作品の平面図である。
【図２】本発明の試作品の断面図である。
【発明を実施するための形態】
【０００８】以下、本発明の実施について説明する。
（イ）．竹▲２▼の中に鈴▲１▼をいれる。
（ロ）．プランター▲１０▼の中に土を入れて盆栽にする、又睡蓮丸鉢▲１１▼の中でメダカが飼える。
【符号の説明】
【０００９】▲１▼  鈴（９Φ）
▲２▼  竹（４０Φ）
▲３▼  竹（１００Φ）
▲４▼  竹（９Φ）
▲５▼  プラスチック止水板
▲６▼  ビニルホース（９Φ）
▲７▼  御影石
▲８▼  木（３８ｔ防腐剤処理）
▲９▼  木（９０×９０×１１０防腐剤処理）
▲１０▼  プランター（プラスチック製６８０×３８０×２２５Ｈ）
▲１１▼  睡蓮丸鉢（３００Φ×１８０Ｈ）
▲１２▼  フィルター付き水中ポンプ水量調節つまみ付き  ＡＣ１００Ｖ×５．０Ｗ×５．６Ｌ／ｍｉｎ（ジエックス（株）イーロカ  ＰＦ−３８１型）
※  （  ）内は試作品寸法  単位はｍｍ
【図１】
2012034677.tif 000003
【図２】
2012034677.tif 000004
(57)【要約】      （修正有）【課題】従来の日本酒の醸造において、かめ口に流れ込む段階で酒が空気に触れ、醸造中に発生し醪に含まれていた二酸化炭素ガスが抜けていく。その後、貯蔵タンク１０に移され、瓶詰される間に、酒中の発泡感はほぼ消滅する。そこで、酒に二酸化炭素ガスを残したまま、微発泡の日本酒を瓶詰する方法を提供する。【解決手段】搾り後の酒を、送出パイプ３からバルブ機構を通して直接瓶詰めする日本酒直汲装置を使うことで、空気に極力触れさせない。微発泡感が残るフレッシュな日本酒「直汲」が瓶詰できる。【選択図】図１
2012034679.tif 000002
【特許請求の範囲】
【請求項１】
醪タンクと、この醪タンクに接続し醪タンクから送出された醪から日本酒を搾る搾り機と、搾った日本酒を搾り機から送出するための送出パイプと、送出パイプの途中に複数が設けられ、瓶に直に日本酒を詰めるバルブ機構と、前記送出パイプに接続されるかめ口と、を有することで、日本酒が空気に触れにくい瓶詰めが行え、微発泡性とフレッシュ感を失いにくいことを特長とする日本酒直汲装置。
【請求項２】
前記バルブ機構は、日本酒を瓶に注入するための瓶よりも長いチューブを備えたことを特長とする請求項１に記載の日本酒直汲装置。
【発明の詳細な説明】
【技術分野】
【０００１】  この発明は、日本酒の醸造に関し、特に、日本酒を瓶詰めする装置に関するものである。
【背景技術】
【０００２】  従来の日本酒の醸造においては、図３に示すように、醪タンク１から送出された醪は、搾り機２で搾られ、搾り滓を残し、搾られた日本酒はパイプ３を通してかめ口８へ送出される。かめ口８の日本酒は、さらに別のパイプ９を通して、貯蔵タンク１０へ送出され貯蔵される。
【先行技術文献】
【特許文献１】
【０００３】
【特許文献１】特開２０００−１８９１４８（Ｐ２０００−１８９１４８Ａ）
【特許文献２】特開２００３−１８９８４１（Ｐ２００３−１８９８４１Ａ）
【非特許文献】
【０００４】なし
【発明の概要】
【発明が解決しようとする課題】
【０００５】  しかしながら、以上の技術によれば、かめ口８に流れ込む段階で酒が空気に触れ、醸造中に発生し醪に含まれていた二酸化炭素ガスが抜けていく。その後、貯蔵タンク１０に移され、瓶詰される間に、酒中の発泡感はほぼ消滅する。
そこで、この発明は、酒に二酸化炭素ガスを残したまま、微発泡の日本酒を瓶詰する方法を課題とする。
【課題を解決するための手段】
【０００６】  以上の課題を解決するために、第一発明は、搾り機から出た酒をチューブを通して直接個々の瓶に瓶詰することで空気に触れさせる率を抑えることを特長とする装置である。
【発明の効果】
【０００７】  第一発明によれば、搾られた酒が空気に触れることなく直接瓶に詰められるので、酒に含まれる微量のガスが逃げずに、フレッシュで微発泡感のある日本酒が瓶詰できる。
【図面の簡単な説明】
【０００８】
【図１】この発明の一実施形態を示す斜視図である。
【図２】図１の要部拡大部分である。
【図３】従来技術を示す斜視図である。
【発明を実施するための形態】
【０００９】  この発明の一実施形態を、図１、図２に示す。
搾り機２で搾られた酒は送出パイプ３を通って流れ出るが、そのパイプの途中に複数の耐圧耐腐食性の配管４をつなぎ、さらに配管の開口部に開閉可能なボールバルブ５を配し、その先にチューブ６をつける。チューブは瓶７に入る。このチューブの口径は瓶の口に入る大きさ、長さは瓶の長さ以上とする。チューブの先端１１は斜めにカットする。この装置を通らずに流れ出る酒を受けるために、送出パイプ３の先端は従来のかめ口８に入るようにセッティングし、かめ口に入った酒は従来通り、パイプ９を通って貯蔵タンク１０に貯蔵される。
【００１０】「実施形態の効果」
この実施形態によれば、酒をほぼ空気に触れることなく、直接瓶に詰めることができる。
バルブ５の開閉により流れを調節することも可能。チューブ６を瓶の長さ以上にすることで、液面下から酒が注入され、空気に触れる率が減る。また、チューブの先端を斜めにカットすることで、酒の流れをよくするとともに、瓶底に密着させてさらに空気との接触を避けることができる。間隔を計り３機ずつ設置することで、酒瓶がＰ箱（６本入りの酒箱）に入った状態での同時の作業が可能。この詰めによる「直汲」は醪の発酵による微量の二酸化炭素ガスがそのまま封じ込められ、微発泡感とフレッシュな味わいが特長となる。
また、送出パイプの先端をかめ口で受けることによって、瓶に入らない酒は通常通りかめ口から貯蔵タンクに送られ、無駄が出ない。
「他の実施形態」
図１、図２の実施形態では、バルブ機構はＴ字の塩ビ管４とボールバルブ５およびシリコンチューブ６で作成しているが、配管部分は耐圧耐腐食性のものであれば塩ビ管でなくてもよい。
【符号の説明】
【００１１】１  醪タンク        ２  搾り機      ３  送出パイプ      ４  Ｔ字塩ビ管
５  ボールバルブ    ６  チューブ    ７  瓶      ８  かめ口
９  パイプ        １０  貯蔵タンク
【図１】
2012034679.tif 000003
【図２】
2012034679.tif 000004
【図３】
2012034679.tif 000005
(57)【要約】【課題】家庭用の植木鉢やプランターで栽培植物のための支柱を立てる場合、鉢の中に立てた支柱は安定が悪く固定もしにくい。またこのために丈の高いものほど植栽することが困難だった。  本発明は、植木鉢やプランターに支柱を立てるための補助具を提供する。【解決手段】四角形の板の隅に円筒状の筒を立てたもの左右１対で、板の上に鉢を置くことで鉢の重さで安定を保つことができることを特徴とする支柱立て。【選択図】図１
2012034682.tif 000002
【特許請求の範囲】
【請求項１】
四角形の１か所の隅に垂直に立てた円筒状の筒のある板が左右１対からなる植木鉢用支柱立て。
【発明の詳細な説明】
【技術分野】
【０００１】  本発明は植木鉢やプランターなどの支柱立てに関するものである。
【背景技術】
【０００２】  従来、植木鉢やプランターの栽培植物に支柱を立てるには、容器の中にじかに支柱を立てていた。
【発明の概要】
【発明が解決しようとする課題】
【０００３】  植木鉢やプランターの中に立てた支柱は、固定しにくく不安定ですぐに倒れてしまう。
特に野菜類で丈の高いものや、つるものの栽培は困難だった。
本発明は、以上の問題点を解決するためになされたものである。
【課題を解決するための手段】
【０００４】  プラスチック板の隅１か所に円筒状の筒を垂直に設け、筒の底部には水溜り防止のための水抜き用の小穴をあけ、左右対称形のもので１対とする。
以上の構成よりなる支柱立て。
【発明の効果】
【０００５】  従来困難であった植木鉢での丈の高い支柱立てを可能にし、左右に立てた支柱から横材を渡すことにより、より幅の広い面での植物への支えが可能となる。また本発明品は、数個の鉢を直線状に並べたり、プランター等の幅の広い物でも１対で支柱立てができ、またネットを張ることも可能となる。
【図面の簡単な説明】
【０００６】
【図１】  本発明の斜視図
【図２】  支柱立て部の平面詳細図
【発明を実施するための形態】
【０００７】  以下、本発明の実施の形態を説明する。
（イ）四角の板（１）の１か所の隅に円筒状の筒（２）をたてる。
（ロ）筒の底部には水抜き用の穴（３）をあけておく。
（ハ）筒は強度を保つため隅部面を板と緊結しておく。（４）
（ニ）以上の構造のものを左右対称で１対とする。
本発明は以上のような構造である。
本発明品を使用するときは、植木鉢１個の場合は、左右の板（１）を重ねた上に鉢を置く。プランターや大きい鉢の場合は、左右の板（１）をそれぞれ鉢の左右の下に敷きこむ。複数個の鉢に使用する場合は、一列に並べた鉢の左右両端の下にそれぞれ（左）と（右）の板を敷きこむ。  その上で筒（２）の中に適当な長さの支柱を立て、左右の支柱間にネットを張ったり、横材を架けることで栽培植物の支えとして活用できる。筒（２）には底部に水抜き穴が設けてあるので、水が溜ることによる不具合の発生はない。また筒（２）の深さを２００ミリメートルとすることで、筒（２）の内径と支柱の径との寸法の著しい違いがあった場合の支柱のぐらつきも、使用済みの割り箸等を差し込むことで容易に固定ができる。
【符号の説明】
【０００８】  １板、２筒、３水抜き穴、４補強部、
【図１】
2012034682.tif 000003
【図２】
2012034682.tif 000004
(57)【要約】      （修正有）【課題】ひらたけ、しいたけ、たもぎだけなどのきのこ類の有効成分を短時間で高収率で得られる方法を提供する。【解決手段】きのこ類の培地に活性炭、イオン交換樹脂などの吸着材を直接混和して有効成分を吸着、処理する、きのこ類から効率的に有効成分すなわち、生理活性成分のβ−グルカン、エルゴチオネインなどを抽出する。【選択図】なし【特許請求の範囲】
【請求項１】
ひらたけ、しいたけ、たもぎたけなどのきのこ類の有効成分を抽出する段階でこれらきのこ類を培養した培地に活性炭、イオン交換樹脂などの吸着材を直接混和して有効成分を吸着、処理する、きのこ類から効率的に有効成分を抽出する方法。
【発明の詳細な説明】
【技術分野】
【０００１】しいたけ、まいたけ、ひらたけなどきのこ類の生理活性成分、β−グルカン。エルゴチオネインなどを抽出する方法に関する。
【背景技術】
【０００２】β−グルカン、エルゴチオネインなどをきのこ類から抽出、精製する方法は先行技術文献に示す様に、各種の方法があるが、そのすべてがきのこ類を分別して抽出溶剤を作用させる方式であった。
【先行技術文献】
【０００３】
【特許文献１】  特開２０００１−６４１９５
【特許文献２】  特開２００８−２２８６７６
【特許文献３】  特開２００８−１１０９８８
【発明の概要】
【発明が解決しようとする課題】
【０００４】きのこ類から効率よく、生理活性成分を抽出する方法の開発。
【発明を解決するための手段】
【０００５】きのこ類の培地を粉砕、溶解して活性炭、イオン交換樹脂などの吸着材を混和する。
【発明の効果】
【０００６】前記の引用特許文献１の特開２００１−６４１９５及び特許文献２の特開２００８−２２８６７６などでは培養したきのこ類を培地として全量分別し、それを吸着剤などで処理を行っている、
【０００７】本発明は、この分別工程を省き、きのこ類の培地に活性炭、イオン交換樹脂などの吸着剤を投入、混合してきのこ類の培地に直接作用させるもので、従来の分別処理より高率に有効成分が抽出できる。
【発明を実施するための形態】
【０００８】きのこ類の培地はしいたけ、まいたけ、えのきたけ、しめじ、なめこ、さるのこしかけなど菌種により異なるが、その処理工程はほぼ同一である。
【０００９】実施例としてひらたけを例示すると、ひらたけ培地としてこめぬかを用いたもの、フスマをもちいたものなどがあるが、そのいずれもが粘調であり、本発明の操作には支障は無い。
【００１０】ひらたけなどのきのこも種類が多く、栽培期間も７日から２００日など長短があるが、その有効成分が最高の時期に培地に混合する。
【００１１】引用特許文献２の特開２００８−２２８６７６のキノコから効率的にβグルカンを抽出する方法も、培養液を本体と分離後、吸着材に接触さｓれる方法である。
【００１２】本発明では、培養液、培地に直接吸着材を投入、添加混合して、混和作業後抽出工程を行うものである。
【００１３】吸着材の培地に対する使用量は、対象とするきのこの種類、目的物により一定しないが、ひらたけの場合、ひらたけの培地１０ｋｇに対し活性炭１ｋｇ混入して３０分攪拌する。
【００１４】攪拌完了後、培地と吸着材の混和物を比重差などで分離する。
【００１５】分離した吸着材に水、アルコール、メチルエチルケトンなどを加え、有効成分を抽出する。
【００１６】βグルカン、エルゴチオネインなどの収量は、菌種、培養条件などにより一定しないが、通常行われているクロマトグラフイによる抽出量より１０％以上の収量が得られる。
【００１７】たもぎたけなその抽出工程は、たもぎたけを水、アルコールなどで抽出し、その抽出液をイオン交換樹脂、吸着クロマトで濃縮しする工程である。
【００１８】この一般的工程に比べ、本発明に利用する活性炭は廉価であり形態も多様で培地に混入しやすく、イオン交換樹脂も培地との混和に優れた特性を有する。
【産業上の利用可能性】
【００１９】本発明は、重らきのこの有効成分の抽出が、分別抽出であるのに対し、直接培地に吸着材を混和、抽出する工程であり、有効成分の抽出量も多く、処理時間も短縮できるので産業上寄与するものは大きい。
(57)【要約】【課題】屋外で使用する簡易型携帯エアコンであるから発電装置は移動が容易で配線を気にすることが無く作業に支障が出てはならない。またエアコンの冷却装置が複雑な配管や配線で覆われ断線等のトラブルがあってはならない。【解決手段】ソーラー発電装置を使用することにより、配線が簡素化され作業や運動することによる断線等が防ぐことが可能となる。またエアコンの冷却エネルギーを保水ジェル等を利用したバンドに接続してそこに冷却エネルギーを伝達することにより、安定した冷却効果が持続する。その保水ジェルのバンドを頭に巻きつけることにより直接肌に冷却効果のあるエネルギーを伝達する装置自体が簡単な構造のためにトラブルの原因を極力抑えることが可能になる。【特許請求の範囲】
【請求項１】
ソーラー発電を電源として小型の簡易型携帯エアコンに保水ジェル等のバンドを利用した冷却エネルギーを放出する装置とし、それぞれを接続して冷房効果を得ることで体温調節を補助するシステム。
【発明の詳細な説明】
【技術分野】
【０００１】本発明は熱中症で倒れる危険性がある作業環境での作業者やスポーツ観戦および屋外でのレジャー又は運動時における体温上昇を抑える目的でソーラー発電にて電力を供給して体温調節を補助する携帯型簡易エアコンである。
【背景技術】
【０００２】近年の温暖化によると思われる夏場の異常高温で熱中症にかかり死亡する人も多くなってきた。その生命を守る意味でも屋外における体温調整は苦心されている。そこで一般的に家屋の中でエアコンを使用しての冷房効果が体温調整に有効であることから、簡易型エアコンをヘルメット及び帽子に装着するほか、衣服の一部部分に装着することによりエアコンの冷却効果を活かして体温調整を補助する。【０００３】ソーラー電池を電源として発電した電池を簡易型エアコン装置に供給して、その簡易型エアコンの冷却能力を空気又は水に伝える。そのことにより体の一部に直接又は間接的に冷却効果を伝達することにより体温の上昇を防ぐことで熱中症を抑えることが可能である。
【発明の概要】
【発明が解決しようとする課題】
【０００４】解決しようとしている問題点は、如何に体温の上昇を防ぐ為の冷却効果をえるエネルギーを安定的に供給できるかが課題である。
【課題を解決するための手段】
【０００５】本発明は省電力で冷却できる装置を配置してそこにソーラー発電で得た電力を今日供給することにより冷房効果を安定的に持続させることが可能である。更に冷却エネルギーを水に伝えることにより直接肌に接して体温を調整することでエネルギーのロスを防ぐことが出来る。又間接的に空気を媒体に冷却風を送る場合でもヘルメットや帽子又は衣服の中へ冷気を送り込み閉鎖的な限られた空間を空調するため省エネルギーで冷房効果を持続される。
【発明の効果】
【０００６】本発明の簡易型形態エアコンの冷房効果で体温の上昇を抑制することが出来て、熱中症の発生を防止することが可能になる。
【発明を実施するための形態】
【０００７】本発明において使用する装置は、作業性を考慮してソーラー発電の装置と簡易型形態エアコンをつなぐ配線を複雑に配置してはいけない。ヘルメット又は帽子の場合ではつばの平面な部分に発電装置を設置して安定した太陽光を受け取らなければならない。その他つばの部分に装着する目的にはヘルメットの本体に様々な安全上の基準が設けられている為出来るだけ本体には装着しない。
【０００８】本発明品の簡易型携帯エアコンは一般家電のエアコンの様に冷却された空気を送風することにより空間の中を冷房するシステムではなく、エアコン装置の熱交換システムで微細な冷却エネルギーを送り続けて体温の上昇を押さえる位の冷房効果を得るための装置である。
【実施例１】
【０００９】本発明品の実施例について説明する。【００１０】先ずは小型ソーラー発電装置をヘルメット又は防止の場合つばの部分に装着をして電力供給を確保する。その電力を簡易型携帯エアコンに接続して冷却装置の運転が可能な状態にする。エアコンから冷却エネルギーを伝達する装置を接続して冷気又は冷却熱を最終拡散装置に伝達して冷却エネルギーを放出する。衣服の場合はソーラー発電装置を背中又は正面に設置して簡易型携帯エアコンを装着して電力の供給を可能にした状態で冷却エネルギー放出様の保水ジェルのバンド等に接続して冷却エネルギー伝達することにより冷房を開始する。その保水ジェルのバンドを頭に巻きつけることにより肌に直接冷却エネルギーを伝達し続ける。
【産業上の利用可能性】
【００１１】本発明は様々な用途に使用でき、屋外作業者から一般の人が外出した時にも体温調節を有効に補助することが出来るため、応用範囲が広く子供から老人までに適応が可能である。
(57)【要約】      （修正有）【課題】冷蔵庫扉の開閉による庫内の冷気流出を最小限に抑えると同時に、大きな節電効果を得られる冷蔵庫用幕を備えた冷蔵庫を提供する。【解決手段】透明あるいは半透明の樹脂フイルムを原料とした冷蔵庫用幕２、庫内の複数に仕切られた各段の開口部ごとに冷気流出防止ができる、前記冷蔵庫用幕２を設け、そして、前記冷蔵庫用幕２に冷気穴１４を設け、また、前記冷蔵庫用幕２の上下左右に冷気隙間１３を設け、冷蔵庫扉裏面１２に冷気が十分回るようにした、冷蔵庫用幕２を備えた冷蔵庫１。【選択図】図１
2012052728.tif 000002
【特許請求の範囲】
【請求項１】
冷蔵庫本体１の冷蔵庫扉の開閉により冷蔵庫開口部からの冷気流出を少なくするため冷蔵庫用幕を複数に仕切られた各段の開口部ごとに全段取り付けるようにしたことを特徴とする冷蔵庫用幕を備えた冷蔵庫。
【請求項２】
冷蔵庫扉裏面に冷気が回るようにする為前記冷蔵庫用幕に冷気穴を、そして、上下左右に冷気隙間を設けたことを特徴とする請求項１の冷蔵庫用幕を備えた冷蔵庫。
【請求項３】
冷蔵庫用幕稼働つまみを手で動かし、放すと冷蔵庫用幕下側が冷蔵庫用幕止め棒、までゆっくり動き開口する、また、前記冷蔵庫用幕稼働つまみを途中で少し上下げすると前記冷蔵庫用幕下側が止まり任意の開口ができることを特徴とする請求項１または２記載の冷蔵庫用幕を備えた冷蔵庫。
【請求項４】
冷蔵庫用幕稼働つまみを動かし、係止め部材で固定し、庫内の冷気を遮断し冷蔵庫用幕が開口部を全閉〜全開することを特徴とする請求項１〜３記載の冷蔵庫用幕を備えた冷蔵庫。
【発明の詳細な説明】
【技術分野】
【０００１】
本発明は冷蔵庫内の複数に仕切られた各段の開口部に冷蔵庫用幕２を設け、冷蔵庫の扉の開閉による庫内の冷気流出を防ぐ特徴を有する、冷蔵庫用幕を備えた冷蔵庫ある。
【背景技術】
【０００２】
従来の冷蔵庫は開口部に冷蔵庫用幕２がなく冷蔵庫扉の開閉により庫内の冷気が流出する、先行技術は冷蔵庫幕が短冊形又は暖簾形が有るが、料理済み食べ物の出し入れにより幕が汚れる、それから幕の立て隙間をその都度固定しなおさないと、冷蔵庫扉裏面１２の冷気循環調節ができない、これに対して本発明は、庫内に複数に仕切られた各段の開口部に一枚の幕を設置し幕を上下に開口できるようにし任意の所で固定できるように、そして幕が清潔で冷気循環調節も簡単にできるようにした。
【先行技術文献】
【特許文献】
【０００３】
【特許文献１】特開２００５−６９５２３号公報
【特許文献２】特開２００６−７８１５２号公報
【発明の概要】
【発明が解決しようとする課題】
【０００４】
本発明が解決しようとする課題は、一般の冷蔵庫は複数に仕切られた格段の開口部が冷蔵庫扉の開閉により、同時に全段の開口部から冷気流出が考えられる。
【０００５】
そこで、個々の棚３ごとに冷蔵庫用幕２で仕切り冷気流出防止を考えたが、冷蔵庫用幕２が閉まっている時庫内の中が見えるようにしたい、それから、開口部の前記冷蔵庫用幕２を開くと冷蔵庫用幕止め棒８まで全開になり開口部から冷気流出が多くなる事が考えられる。
【０００６】
それから、冷蔵庫扉が閉まっている時、前記冷蔵庫用幕２の冷気流出対策が完璧になりすぎると冷蔵庫扉裏面１２の冷気循環不足が考えられる。
【０００７】
そこで、この発明は、その要求に応える為前記冷蔵庫用幕２の、大きさ、動きの変化を併せ持つ前記冷蔵庫用幕２を備えた冷蔵庫を提供することを課題としている、冷蔵庫用幕を備えた冷蔵庫。
【課題を解決するための手段】
【０００８】
上記課題を解決するため、冷蔵庫本体１は複数に仕切られた各段の開口部に前記冷蔵庫用幕２を設けた。
【０００９】
前記冷蔵庫用幕２の材質を透明あるいは半透明樹脂フイルム（中が見えるよう）にし、庫内に複数に仕切られた各段の開口部に、個々に設置した前記冷蔵庫用幕２をむやみに開口せず、取り出す物をよく見て個々の前記冷蔵庫用幕２を開口し庫内の冷気流出防止とした、冷蔵庫用幕を備えた冷蔵庫を提供する。
【００１０】
この冷蔵庫用幕稼働つまみ１０を小さく上下することにより冷蔵庫用幕下側９を任意の途中で固定できるようにし、各段の開口部をさらに小さくすることにより冷気流出を抑える事が可能である。
【００１１】
また、各段の前記冷蔵庫用幕２と冷蔵庫扉が閉じている時、前記冷蔵庫用幕２に冷気穴１４を設け、上下左右の冷気隙間を設けているため、冷蔵庫扉裏面１２に冷気が回るようになり、より優れた冷蔵庫用幕を備えた冷蔵庫を提供する。
冷蔵庫用幕の稼働つまみを動かし、係止め部材で固定し、庫内の冷気を遮断し冷蔵庫用幕が開口部を全閉〜全開することができる。
【発明の効果】
【００１２】
この発明の前記冷蔵庫用幕２は、庫内に複数に仕切られた各段の開口部に、前記冷蔵庫用幕２を設ける事により冷蔵庫扉の開閉による冷蔵庫開口部からの冷気流出が少なく、節電効果が得られる。
【００１３】
また、個々の前記冷蔵庫用幕２は各段の開口部ごとに庫内が独立しているため、途中で回転が止まる装置５により冷蔵庫用幕下側９が各段の開口部で任意に、固定出来る為冷気流出が少なくなり、さらに節電効果が得られる。
【００１４】
庫内で複数に仕切られた各段の開口部に、個々に前記冷蔵庫用幕２を設けその前記冷蔵庫用幕２が開くときバネ６、ダンパー７でゆっくり巻き上げ、または、ローラー４でゆっくり巻き上げる事も出来る、冷蔵庫用幕を備えた冷蔵庫である。
【００１５】
前記冷蔵庫用幕２に冷気穴１４を設け、そして、各段の前記冷蔵庫用幕２に上下左右の冷気隙間を設け、冷蔵庫扉裏面１２に冷気が回るようにした、冷蔵庫用幕を備えた冷蔵庫である。
【図面の簡単な説明】
【００１６】
【図１】本発明の冷蔵庫用幕の正面図
【図２】本発明の冷蔵庫用幕の側面図
【発明を実施するための形態】
【００１７】
庫内の複数に仕切られた各段の開口部に、個々に前記冷蔵庫用幕２を設けることにより冷蔵庫扉を開いたとき庫内の冷気流出を最小限に抑える事が可能である。
【００１８】
前記冷蔵庫用幕２を冷蔵庫用幕稼働つまみ１０をつまみ、冷蔵庫用幕下側９を引き下ろし、係止め部材１１で固定し、各段の開口部を遮断する。
【００１９】
さらに、前記冷蔵庫用幕下側９を途中で任意に固定できるようにし、各段の開口部をさらに小さくすることにより冷気流出を最小限に抑える事が最良の形態である。
【００２０】
冷蔵庫用幕は、途中で回転が止まる装置５に途中で回転が止まる装置を内蔵し、前記途中で回転が止まる装置５の中にダンパーとコイルバネを仕込み冷蔵庫用幕を巻き取り開口する、または、ダンパー７とバネ６を設け冷蔵庫用幕を庫内に引き込んで開口してもよい。
【００２１】
前記冷蔵庫用幕２に冷気穴１４を設け、そして、前記冷蔵庫用幕２に上下左右の冷気隙間を設け、冷蔵庫扉裏面１２に冷気が十分に回る、冷蔵庫用幕を備えた冷蔵庫である。
【符号の説明】
【００２２】
１冷蔵庫本体
２冷蔵庫用幕
３棚
４ローラー
５途中で回転が止まる装置
６バネ
７ダンパー
８冷蔵庫用幕止め棒
９冷蔵庫用幕下側
１０冷蔵庫用幕稼働つまみ
１１係止め部材
１２冷蔵庫扉裏面
１３冷蔵庫用幕冷気隙間
１４冷気穴
【図１】
2012052728.tif 000003
【図２】
2012052728.tif 000004